(57)【要約】      （修正有）【課題】混雑時においても、優先端末による発信処理や緊急呼の発信処理を成功させる確率を向上させる。【解決手段】移動局ＵＥは、無線基地局ｅＮＢから、緊急用ランダムアクセスチャネルリソースを取得するように構成されている受信部１２と、移動局ＵＥが優先端末である場合、或いは、移動局ＵＥが緊急呼を発信する場合、かかる緊急用ランダムアクセスチャネルリソースを用いて、ＲＡ手順を行うように構成されているＲＡ手順実行部２３と、発信処理に関する信号の送信に対して、ＡＣＢを行うように構成されているアクセス制御部２２とを具備しており、アクセス制御部２２は、ＤＲＸ状態の移動局ＵＥが上り信号を送信するためのＲＡ手順における「ＲＡ  Ｐｒｅａｍｂｌｅ」の送信に対して、ＡＣＢを行わないように構成されている。【選択図】図５
2013258663.tif 000002
【特許請求の範囲】
【請求項１】
移動局であって、
無線基地局から、緊急用ランダムアクセスチャネルリソースを取得するように構成されている受信部と、
優先端末である前記移動局が発信処理を行う場合、或いは、該移動局が緊急呼の発信処理を行う場合、前記緊急用ランダムアクセスチャネルリソースを用いて、ランダムアクセス手順を行うように構成されているランダムアクセス手順実行部と、
発信処理に関する信号の送信に対して、アクセス制御処理を行うように構成されているアクセス制御部とを具備しており、
前記アクセス制御部は、間欠受信状態の前記移動局が上り信号を送信するためのランダムアクセス手順におけるランダムアクセスプリアンブルの送信に対して、前記アクセス制御処理を行わないように構成されていることを特徴とする移動局。
【請求項２】
前記受信部は、報知情報を介して、前記緊急用ランダムアクセスチャネルリソースを取得するように構成されていることを特徴とする請求項１に記載の移動局。
【請求項３】
前記受信部は、ハンドオーバ処理において、ハンドオーバ先無線基地局で設定されている前記緊急用ランダムアクセスチャネルリソースを取得するように構成されていることを特徴とする請求項１に記載の移動局。
【請求項４】
前記受信部は、アタッチ処理において、個別シグナリングを介して、前記緊急用ランダムアクセスチャネルリソースを取得するように構成されていることを特徴とする請求項１に記載の移動局。
【請求項５】
前記受信部は、アイドル状態から接続状態に遷移する際に、個別シグナリングを介して、前記緊急用ランダムアクセスチャネルリソースを取得するように構成されていることを特徴とする請求項１に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式の移動通信システムでは、ＡＣＢ（Ａｃｃｅｓｓ  Ｃｌａｓｓ  Ｂａｒｒｉｎｇ）のメカニズムを用いて、ＲＲＣ_ＩＤＬＥ状態（アイドル状態）の移動局ＵＥによって発信処理（位置登録処理を含む。以下、同様）に関する信号、例えば、位置登録処理用シグナリング（ＭＯ-ｓｉｇｎａｌｌｉｎｇ）やＵ-ｐｌａｎｅ発信処理用シグナリング（ＭＯ-ｄａｔａ）を送信するためのＲＡ（Ｒａｎｄｏｍ  Ａｃｃｅｓｓ）手順における「ＲＡ  Ｐｒｅａｍｂｌｅ」の送信を規制することができる。
【先行技術文献】
【非特許文献】
【０００３】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１３
【非特許文献４】３ＧＰＰ  ＴＳ３６.３２１
【非特許文献５】３ＧＰＰ  ＴＳ３６.３３１
【発明の概要】
【発明が解決しようとする課題】
【０００４】
しかしながら、従来のＬＴＥ方式の移動通信システムでは、ＲＲＣ_ＣＯＮＮＥＣＴＥＤ状態（接続状態）で且つＤＲＸ（Ｄｉｓｃｏｎｔｉｎｕｏｕｓ  Ｒｅｃｅｐｔｉｏｎ）状態（間欠受信状態）の移動局ＵＥによって「ＵＬ  ｄａｔａ  ａｒｒｉｖａｌ」を契機として行われるＲＡ手順における「ＲＡ  Ｐｒｅａｍｂｌｅ」の送信に対して、ＡＣＢを行うことができない、すなわち、かかる「ＲＡ  Ｐｒｅａｍｂｌｅ」の送信を規制することができない。
【０００５】
その結果、混雑時に、優先端末による発信処理や緊急呼の発信処理を行うためのＲＡ手順で送信される「ＲＡ  Ｐｒｅａｍｂｌｅ」が、上述の「ＲＡ  Ｐｒｅａｍｂｌｅ」に衝突し、かかるＲＡ手順が失敗し、かかる発信処理が遅延したり、かかる発信処理が失敗したりする可能性があるという問題点があった。
【０００６】
そこで、本発明は、上述の課題に鑑みてなされたものであり、混雑時においても、優先端末による発信処理や緊急呼の発信処理を成功させる確率を向上させることができる移動局を提供することを目的とする。
【課題を解決するための手段】
【０００７】
本発明の第１の特徴は、移動局であって、無線基地局から、緊急用ランダムアクセスチャネルリソースを取得するように構成されている受信部と、優先端末である前記移動局が発信処理を行う場合、或いは、該移動局が緊急呼の発信処理を行う場合、前記緊急用ランダムアクセスチャネルリソースを用いて、ランダムアクセス手順を行うように構成されているランダムアクセス手順実行部と、発信処理に関する信号の送信に対して、アクセス制御処理を行うように構成されているアクセス制御部とを具備しており、前記アクセス制御部は、間欠受信状態の前記移動局が上り信号を送信するためのランダムアクセス手順における衝突型ランダムアクセスプリアンブルの送信に対して、前記アクセス制御処理を行わないように構成されていることを要旨とする。
【発明の効果】
【０００８】
以上説明したように、本発明によれば、混雑時においても、優先端末による発信処理や緊急呼の発信処理を成功させる確率を向上させることができる移動局を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＲａｄｉｏＲｅｓｏｕｒｃｅＣｏｎｆｉｇＣｏｍｍｏｎ」のフォーマットの一例を示す図である。
【図４】本発明の第１の実施形態に係る無線基地局によって送信される「ＲａｄｉｏＲｅｓｏｕｒｃｅＣｏｎｆｉｇＣｏｍｍｏｎ」のフォーマットの一例を示す図である。
【図５】本発明の第１の実施形態に係る移動局の機能ブロック図である。
【図６】本発明の第１の実施形態に係る移動局の動作を説明するためのフローチャートである。
【図７】本発明の変更例１に係る移動通信システムの動作を説明するためのシーケンス図である。
【図８】本発明の変更例２に係る移動通信システムの動作を説明するためのシーケンス図である。
【発明を実施するための形態】
【００１０】
（本発明の第１の実施形態に係る移動通信システム）
図１乃至図６を参照して、本発明の第１の実施形態に係る移動通信システムについて説明する。
【００１１】
本実施形態に係る移動通信システムは、ＬＴＥ方式をサポートするものであって、図１に示すように、無線基地局ｅＮＢと、移動局ＵＥとを具備している。
【００１２】
図２に示すように、本実施形態に係る無線基地局ｅＮＢは、管理部１１と、送信部１２とを具備している。
【００１３】
管理部１１は、無線基地局ｅＮＢ配下のセルにおけるランダムアクセスチャネルリソースの割り当て状況を管理するように構成されている。
【００１４】
例えば、管理部１１は、かかるランダムアクセスチャネルリソースの割り当て状況として、「ＲＡ  Ｐｒｅａｍｂｌｅ」の割り当て状況について管理するように構成されている。
【００１５】
ここで、管理部１１は、既存の「ＲＡ  Ｐｒｅａｍｂｌｅ」の割り当て状況に加えて、緊急用ランダムアクセスチャネルリソース、例えば、緊急用の「ＲＡ  Ｐｒｅａｍｂｌｅ」の割り当て状況について管理するように構成されている。
【００１６】
かかる緊急用ランダムアクセスチャネルリソースは、優先端末による発信処理、或いは、非優先端末による緊急呼の発信処理を行うためのＲＡ手順で送信される「ＲＡ  Ｐｒｅａｍｂｌｅ」の送信のために用いられるリソースである。
【００１７】
ここで、優先端末とは、アクセスクラス（ＡＣ：Ａｃｃｅｓｓ  Ｃｌａｓｓ）が１１〜１５である移動局ＵＥのことを意味する。なお、各移動局ＵＥのアクセスクラスは、各移動局ＵＥのＳＩＭ（Ｓｕｂｓｃｒｉｂｅｒ  Ｉｄｅｎｔｉｔｙ  Ｍｏｄｕｌｅ  Ｃａｒｄ）に設定されるように構成されている。
【００１８】
送信部１２は、無線基地局ｅＮＢ配下のセル内の移動局ＵＥに対して、各種信号を送信するように構成されている。
【００１９】
具体的には、送信部１２は、無線基地局ｅＮＢ配下のセル内の移動局ＵＥに対して、上述の緊急用ランダムアクセスチャネルリソースを通知するように構成されている。
【００２０】
例えば、送信部１２は、かかる移動局ＵＥに対して、報知情報を介して、上述の緊急用ランダムアクセスチャネルリソースを通知するように構成されていてもよい。
【００２１】
或いは、送信部１２は、かかる移動局ＵＥのハンドオーバ処理において、かかる移動局ＵＥに対して、上述の緊急用ランダムアクセスチャネルリソースを通知するように構成されていてもよい。
【００２２】
ここで、送信部１２は、図３及び図４に示すように、情報要素「ＲａｄｉｏＲｅｓｏｕｒｃｅＣｏｎｆｉｇＣｏｍｍｏｎ」内の「ｒａｃｈ-ＣｏｎｆｉｇＣｏｍｍｏｎＦｏｒＥｍｅｒｇｅｎｃｙ-ＳｐｅｃｉａｌＡＣ  ＲＡＣＨ-ＣｏｎｆｉｇＣｏｍｍｏｎ」又は「ｐｒａｃｈ-ＣｏｎｆｉｇＦｏｒＥｍｅｒｇｅｎｃｙ-ＳｐｅｃｉａｌＡＣ  ＰＲＡＣＨ-ＣｏｎｆｉｇＳＩＢ」によって、かかる移動局ＵＥに対して、上述の緊急用ランダムアクセスチャネルリソースを通知するように構成されていてもよい。
【００２３】
図５に示すように、移動局ＵＥは、受信部２１と、アクセス制御部２２と、ＲＡ手順実行部２３とを具備している。
【００２４】
受信部２１は、無線基地局ｅＮＢから、各種信号を受信するように構成されている。
【００２５】
例えば、受信部２１は、無線基地局ｅＮＢから、緊急用ランダムアクセスチャネルリソースを取得するように構成されている。
【００２６】
ここで、受信部２１は、報知情報を介して、上述の緊急用ランダムアクセスチャネルリソースを取得するように構成されていてもよい。
【００２７】
或いは、受信部２１は、ハンドオーバ処理において、ハンドオーバ先無線基地局Ｔ-ｅＮＢで設定されている緊急用ランダムアクセスチャネルリソースを取得するように構成されていてもよい。
【００２８】
ここで、受信部２１は、図３及び図４に示すように、情報要素「ＲａｄｉｏＲｅｓｏｕｒｃｅＣｏｎｆｉｇＣｏｍｍｏｎ」内の「ｒａｃｈ-ＣｏｎｆｉｇＣｏｍｍｏｎＦｏｒＥｍｅｒｇｅｎｃｙ-ＳｐｅｃｉａｌＡＣ  ＲＡＣＨ-ＣｏｎｆｉｇＣｏｍｍｏｎ」又は「ｐｒａｃｈ-ＣｏｎｆｉｇＦｏｒＥｍｅｒｇｅｎｃｙ-ＳｐｅｃｉａｌＡＣ  ＰＲＡＣＨ-ＣｏｎｆｉｇＳＩＢ」を介して、上述の緊急用ランダムアクセスチャネルリソースを受信するように構成されていてもよい。
【００２９】
アクセス制御部２２は、発信処理に関する信号に対するＡＣＢ（アクセス制御処理）を行うように構成されている。
【００３０】
例えば、アクセス制御部２２は、ＲＲＣ_ＣＯＮＮＥＣＴＥＤ状態で且つＤＲＸ状態の移動局ＵＥが上り信号を送信するためのＲＡ手順における「ＲＡ  Ｐｒｅａｍｂｌｅ」の送信に対して、ＡＣＢを行わないように構成されている。
【００３１】
一方、アクセス制御部２２は、ＲＲＣ_ＩＤＬＥ状態の移動局ＵＥからの発信処理に関連する信号の送信に対して、ＡＣＢを行うように構成されている。
【００３２】
ＲＡ手順実行部２３は、ＲＲＣ_ＣＯＮＮＥＣＴＥＤ状態で且つＤＲＸ状態の移動局ＵＥ或いはＲＲＣ_ＩＤＬＥ状態の移動局ＵＥが発信処理を行うためのＲＡ手順を行うように構成されている。
【００３３】
ここで、ＲＡ手順実行部２３は、かかるＲＡ手順において、Ｃｏｎｔｅｎｔｉｏｎ-ｂａｓｅｄ方式で、「ＲＡ  Ｐｒｅａｍｂｌｅ」を送信するように構成されている。
【００３４】
なお、ＲＡ手順実行部２３は、優先端末である移動局ＵＥが発信処理を行う場合、或いは、移動局ＵＥが緊急呼の発信処理を行う場合、受信部２１によって取得された緊急用ランダムアクセスチャネルリソースを用いて、かかる発信処理を行うために、「ＲＡ  Ｐｒｅａｍｂｌｅ」を送信するように構成されている。
【００３５】
一方、ＲＡ手順実行部２３は、その他の発信処理を行う場合、例えば、ＲＲＣ_ＣＯＮＮＥＣＴＥＤ状態で且つＤＲＸ状態の移動局ＵＥが発信処理を行う場合、既存のランダムアクセスチャネルリソース（「Ｄｅｄｉｃａｔｅｄ  ＲＡ  Ｐｒｅａｍｂｌｅ」又は「Ｃｏｍｍｏｎ  ＲＡ  Ｐｒｅａｍｂｌｅ」）を用いて、かかる発信処理を行うためのＲＡ手順を行うように構成されている。
【００３６】
以下、図６を参照して、本実施形態に係る移動局ＵＥの動作について説明する。
【００３７】
図６に示すように、ステップＳ１０１において、移動局ＵＥは、無線基地局ｅＮＢから、緊急用ランダムアクセスチャネルリソースを取得する。
【００３８】
ステップＳ１０２において、移動局ＵＥは、自信のＳＩＭにアクセスクラス１１〜１５が設定されている場合、かかる緊急用ランダムアクセスチャネルリソースを用いて、発信処理を行うためのＲＡ手順を実行する。
【００３９】
或いは、ステップＳ１０２において、移動局ＵＥは、かかる緊急用ランダムアクセスチャネルリソースを用いて、緊急呼の発信処理を行うためのＲＡ手順を実行する。
【００４０】
本実施形態に係る発明によれば、優先端末からの発信処理及び緊急呼の発信処理を行うためのＲＡ手順について、ＲＲＣ_ＣＯＮＮＥＣＴＥＤ状態で且つＤＲＸ状態の移動局ＵＥによって行われる発信処理のためのＲＡ手順で用いられるランダムアクセスリソースとは異なる緊急用ランダムアクセスチャネルリソースを用いて行うことができる。
【００４１】
その結果、ＲＲＣ_ＣＯＮＮＥＣＴＥＤ状態で且つＤＲＸ状態の移動局ＵＥによる発信処理が多発する場合であっても、優先端末による発信処理や緊急呼の発信処理を成功させる確率を向上させることができる。
【００４２】
（変更例１）
図７を参照して、本発明の変更例１に係る移動通信システムについて説明する。以下、本発明の変更例１に係る移動通信システムについて、上述の第１の実施形態に係る移動通信システムとの相違点に着目して説明する。
【００４３】
移動局ＵＥの受信部１２は、アタッチ（Ａｔｔａｃｈ）処理において、個別シグナリングを介して、上述の緊急用ランダムアクセスチャネルリソースを取得するように構成されている。
【００４４】
ここで、優先端末である移動局ＵＥの受信部１２が、アタッチ処理において、個別シグナリングを介して、移動局ＵＥ用の専用リソースとして、上述の緊急用ランダムアクセスチャネルリソースを取得し、非優先端末である移動局ＵＥの受信部１２が、アタッチ処理において、個別シグナリングを介して、上述の緊急用ランダムアクセスチャネルリソースを取得しないように構成されていてもよい。
【００４５】
或いは、優先端末である移動局ＵＥの受信部１２及び非優先端末である移動局ＵＥの受信部１２が、アタッチ処理において、個別シグナリングを介して、緊急呼の発信処理用の専用リソースとして、上述の緊急用ランダムアクセスチャネルリソースを取得するように構成されていてもよい。
【００４６】
かかる場合、非優先端末である移動局ＵＥのＲＡ手順実行部２３は、緊急呼の発信処理を行う場合にのみ、かかる緊急用ランダムアクセスチャネルリソースを用いて、ＲＡ手順を行うように構成されている。
【００４７】
なお、移動局ＵＥのＲＡ手順実行部２３は、「ＲＲＣ_ＣＯＮＮＥＣＴＥＤ  Ｓｔａｔｅ（接続状態）」から「ＲＲＣ_ＩＤＬＥ  Ｓｔａｔｅ（アイドル状態）」に遷移する場合に、かかる緊急用ランダムアクセスチャネルリソースを解放するように構成されていてもよいし、かかる緊急用ランダムアクセスチャネルリソースを解放することなく保持するように構成されていてもよい。
【００４８】
以下、図７を参照して、本変更例１に係る移動通信システムの動作について説明する。図７の例では、移動局ＵＥは、優先端末であるものとする。
【００４９】
図７に示すように、ステップＳ１００１において、移動局ＵＥは、無線基地局ｅＮＢに対して、「ＲＲＣ  Ｃｏｎｎｅｃｔｉｏｎ  Ｒｅｑｕｅｓｔ」を送信する。
【００５０】
ここで、移動局ＵＥは、かかる「ＲＲＣ  Ｃｏｎｎｅｃｔｉｏｎ  Ｒｅｑｕｅｓｔ」内の情報要素「Ｅｓｔａｂｌｉｓｈｍｅｎｔ  ｃａｕｓｅ」に「ｈｉｇｈＰｒｉｏｒｉｔｙＡｃｃｅｓｓ」を設定する。
【００５１】
ステップＳ１００２において、無線基地局ｅＮＢは、移動局ＵＥに対して、「ＲＲＣ  Ｃｏｎｎｅｃｔｉｏｎ  Ｓｅｔｕｐ」を送信する。
【００５２】
ステップＳ１００３Ａにおいて、移動局ＵＥは、無線基地局ｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信し、ステップＳ１００３Ｂにおいて、無線基地局ｅＮＢは、移動管理ノードＭＭＥ（Ｍｏｂｉｌｉｔｙ  Ｍａｎａｇｅｍｅｎｔ  Ｅｎｔｉｔｙ）に対して、「Ｉｎｉｔｉａｌ  ＵＥ  Ｍｅｓｓａｇｅ」を送信する。
【００５３】
ステップＳ１００４において、移動局ＵＥと移動管理ノードＭＭＥとの間で、「Ａｕｔｈｅｎｔｉｃａｔｉｏｎ/Ｓｅｃｕｒｉｔｙ」処理が行われる。
【００５４】
ステップＳ１００５において、移動管理ノードＭＭＥが、無線基地局ｅＮＢに対して、「Ａｔｔａｃｈ  Ａｃｃｅｐｔ」を含む「Ｉｎｔｉｔｉａｌ  Ｃｏｎｔｅｘｔ  Ｓｅｔｕｐ  Ｒｅｑｕｅｓｔ」を送信する。
【００５５】
ステップＳ１００６において、無線基地局ｅＮＢは、移動局ＵＥに対して、「ＲＲＣ  ＵＥ  Ｃａｐａｂｉｌｉｔｙ  Ｅｎｑｕｉｒｙ」を送信する。
【００５６】
ステップＳ１００７において、移動局ＵＥによって送信された「ＲＲＣ  ＵＥ  Ｃａｐａｂｉｌｉｔｙ  Ｉｎｆｏｒｍａｔｉｏｎ」が、無線基地局ｅＮＢを介して、移動管理ノードＭＭＥに転送される。
【００５７】
無線基地局ｅＮＢは、移動局ＵＥに対して、ステップＳ１００８において、「Ｓｅｃｕｒｉｔｙ  Ｍｏｄｅ  Ｃｏｍｍａｎｄ」を送信し、ステップＳ１００９において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００５８】
ここで、無線基地局ｅＮＢは、ステップＳ１００１において受信した「ＲＲＣ  Ｃｏｎｎｅｃｔｉｏｎ  Ｒｅｑｕｅｓｔ」内の情報要素「Ｅｓｔａｂｌｉｓｈｍｅｎｔ  ｃａｕｓｅ」に「ｈｉｇｈＰｒｉｏｒｉｔｙＡｃｃｅｓｓ」が設定されていた場合、移動局ＵＥに対して、「ＲＲＣ  Ｃｏｎｎｅｃｔｉｏｎ  Ｒｅｃｏｎｆｉｇｕｒａｔｉｏｎ」によって、移動局ＵＥ用の専用リソースとして、上述の緊急用ランダムアクセスチャネルリソースを通知してもよい。
【００５９】
或いは、無線基地局ｅＮＢは、ステップＳ１００１において受信した「ＲＲＣ  Ｃｏｎｎｅｃｔｉｏｎ  Ｒｅｑｕｅｓｔ」内の情報要素「Ｅｓｔａｂｌｉｓｈｍｅｎｔ  ｃａｕｓｅ」に「ｈｉｇｈＰｒｉｏｒｉｔｙＡｃｃｅｓｓ」が設定されていたか否かに関わらず、移動局ＵＥに対して、緊急呼の発信処理用の専用リソースとして、上述の緊急用ランダムアクセスチャネルリソースを通知してもよい。
【００６０】
移動局ＵＥは、無線基地局ｅＮＢに対して、ステップＳ１０１０において、「Ｓｅｃｕｒｉｔｙ  Ｍｏｄｅ  Ｃｏｍｐｌｅｔｅ」を送信し、ステップＳ１０１１において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６１】
ステップＳ１０１２において、無線基地局ｅＮＢは、移動管理ノードＭＭＥに対して、「Ｉｎｉｔｉａｌ  Ｃｏｎｅｔｅｘｔ  Ｓｅｔｕｐ  Ｒｅｓｐｏｎｓｅ」を送信し、ステップＳ１０１３において、移動局ＵＥは、移動管理ノードＭＭＥに対して、「Ａｔｔａｃｈ  Ｃｏｍｐｌｅｔｅ」を送信する。
【００６２】
その後、ステップＳ１０１４において、移動局ＵＥが、「ＲＲＣ_ＩＤＬＥ  Ｓｔａｔｅ」に遷移する場合に、無線基地局ｅＮＢは、移動局ＵＥに対して、「ＲＲＣ  Ｃｏｎｎｃｅｔｉｏｎ  Ｒｅｌｅａｓｅ」を送信することによって、上述の緊急用ランダムアクセスチャネルリソース（移動局ＵＥ用の専用リソース）を解放してもよい。
【００６３】
（変更例２）
図８を参照して、本発明の変更例２に係る移動通信システムについて説明する。以下、本発明の変更例２に係る移動通信システムについて、上述の第１の実施形態及び変更例１に係る移動通信システムとの相違点に着目して説明する。
【００６４】
移動局ＵＥの受信部１２は、「ＲＲＣ_ＩＤＬＥ  Ｓｔａｔｅ」から「ＲＲＣ_ＣＯＮＮＥＣＴＥＤ  Ｓｔａｔｅ」に遷移する際に、個別シグナリングを介して、上述の緊急用ランダムアクセスチャネルリソースを取得するように構成されている。
【００６５】
ここで、優先端末である移動局ＵＥの受信部１２が、「ＲＲＣ_ＩＤＬＥ  Ｓｔａｔｅ」から「ＲＲＣ_ＣＯＮＮＥＣＴＥＤ  Ｓｔａｔｅ」に遷移する際に、個別シグナリングを介して、移動局ＵＥ用の専用リソースとして、上述の緊急用ランダムアクセスチャネルリソースを取得し、非優先端末である移動局ＵＥの受信部１２が、「ＲＲＣ_ＩＤＬＥ  Ｓｔａｔｅ」から「ＲＲＣ_ＣＯＮＮＥＣＴＥＤ  Ｓｔａｔｅ」に遷移する際に、個別シグナリングを介して、上述の緊急用ランダムアクセスチャネルリソースを取得しないように構成されていてもよい。
【００６６】
或いは、優先端末である移動局ＵＥの受信部１２及び非優先端末である移動局ＵＥの受信部１２が、「ＲＲＣ_ＩＤＬＥ  Ｓｔａｔｅ」から「ＲＲＣ_ＣＯＮＮＥＣＴＥＤ  Ｓｔａｔｅ」に遷移する際に、個別シグナリングを介して、緊急呼の発信処理用の専用リソースとして、上述の緊急用ランダムアクセスチャネルリソースを取得するように構成されていてもよい。
【００６７】
かかる場合、非優先端末である移動局ＵＥのＲＡ手順実行部２３は、緊急呼の発信処理を行う場合にのみ、かかる緊急用ランダムアクセスチャネルリソースを用いて、ＲＡ手順を行うように構成されている。
【００６８】
なお、移動局ＵＥのＲＡ手順実行部２３は、「ＲＲＣ_ＣＯＮＮＥＣＴＥＤ  Ｓｔａｔｅ」から「ＲＲＣ_ＩＤＬＥ  Ｓｔａｔｅ」に遷移する場合に、かかる緊急用ランダムアクセスチャネルリソースを解放するように構成されていてもよいし、かかる緊急用ランダムアクセスチャネルリソースを解放することなく保持するように構成されていてもよい。
【００６９】
以下、図８を参照して、本変更例２に係る移動通信システムの動作について説明する。図８の例では、移動局ＵＥは、優先端末であるものとする。
【００７０】
図８に示すように、ステップＳ２００１において、移動局ＵＥは、無線基地局ｅＮＢに対して、「ＲＲＣ  Ｃｏｎｎｅｃｔｉｏｎ  Ｒｅｑｕｅｓｔ」を送信する。
【００７１】
ここで、移動局ＵＥは、かかる「ＲＲＣ  Ｃｏｎｎｅｃｔｉｏｎ  Ｒｅｑｕｅｓｔ」内の情報要素「Ｅｓｔａｂｌｉｓｈｍｅｎｔ  ｃａｕｓｅ」に「ｈｉｇｈＰｒｉｏｒｉｔｙＡｃｃｅｓｓ」を設定する。
【００７２】
ステップＳ２００２において、無線基地局ｅＮＢは、移動局ＵＥに対して、「ＲＲＣ  Ｃｏｎｎｅｃｔｉｏｎ  Ｓｅｔｕｐ」を送信する。
【００７３】
ステップＳ２００３において、移動局ＵＥは、無線基地局ｅＮＢに対して、「ＲＲＣ  Ｃｏｎｎｅｃｔｉｏｎ  Ｓｅｔｕｐ  Ｃｏｍｐｌｅｔｅ」を送信し、ステップＳ２００４において、無線基地局ｅＮＢは、移動管理ノードＭＭＥに対して、「Ｉｎｉｔｉａｌ  ＵＥ  Ｍｅｓｓａｇｅ」を送信する。
【００７４】
ステップＳ２００５において、移動局ＵＥと移動管理ノードＭＭＥとの間で、「Ａｕｔｈｅｎｔｉｃａｔｉｏｎ/Ｓｅｃｕｒｉｔｙ」処理が行われる。
【００７５】
ステップＳ２００６において、移動管理ノードＭＭＥが、無線基地局ｅＮＢに対して、「Ｉｎｉｔｉａｌ  Ｃｏｎｔｅｘｔ  Ｓｅｔｕｐ  Ｒｅｑｕｅｓｔ」を送信する。
【００７６】
無線基地局ｅＮＢは、移動局ＵＥに対して、ステップＳ２００７において、「Ｓｅｃｕｒｉｔｙ  Ｍｏｄｅ  Ｃｏｍｍａｎｄ」を送信し、ステップＳ２００８において、「ＲＲＣ  Ｃｏｎｎｅｃｔｉｏｎ  Ｒｅｃｏｎｆｉｇｕｒａｔｉｏｎ」を送信する。
【００７７】
ここで、無線基地局ｅＮＢは、ステップＳ２００１において受信した「ＲＲＣ  Ｃｏｎｎｅｃｔｉｏｎ  Ｒｅｑｕｅｓｔ」内の情報要素「Ｅｓｔａｂｌｉｓｈｍｅｎｔ  ｃａｕｓｅ」に「ｈｉｇｈＰｒｉｏｒｉｔｙＡｃｃｅｓｓ」が設定されていた場合、移動局ＵＥに対して、「ＲＲＣ  Ｃｏｎｎｅｃｔｉｏｎ  Ｒｅｃｏｎｆｉｇｕｒａｔｉｏｎ」によって、移動局ＵＥ用の専用リソースとして、上述の緊急用ランダムアクセスチャネルリソースを通知してもよい。
【００７８】
或いは、無線基地局ｅＮＢは、ステップＳ２００１において受信した「ＲＲＣ  Ｃｏｎｎｅｃｔｉｏｎ  Ｒｅｑｕｅｓｔ」内の情報要素「Ｅｓｔａｂｌｉｓｈｍｅｎｔ  ｃａｕｓｅ」に「ｈｉｇｈＰｒｉｏｒｉｔｙＡｃｃｅｓｓ」が設定されていたか否かに関わらず、移動局ＵＥに対して、緊急呼の発信処理用の専用リソースとして、上述の緊急用ランダムアクセスチャネルリソースを通知してもよい。
【００７９】
移動局ＵＥは、無線基地局ｅＮＢに対して、ステップＳ２００９において、「Ｓｅｃｕｒｉｔｙ  Ｍｏｄｅ  Ｃｏｍｐｌｅｔｅ」を送信し、ステップＳ２０１０において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００８０】
ステップＳ２０１１において、無線基地局ｅＮＢは、移動管理ノードＭＭＥに対して、「Ｉｎｉｔｉａｌ  Ｃｏｎｅｔｅｘｔ  Ｓｅｔｕｐ  Ｒｅｓｐｏｎｓｅ」を送信する。
【００８１】
その後、ステップＳ２０１２において、移動局ＵＥが、「ＲＲＣ_ＩＤＬＥ  Ｓｔａｔｅ」に遷移する場合に、無線基地局ｅＮＢは、移動局ＵＥに対して、「ＲＲＣ  Ｃｏｎｎｃｅｔｉｏｎ  Ｒｅｌｅａｓｅ」を送信することによって、上述の緊急用ランダムアクセスチャネルリソース（移動局ＵＥ用の専用リソース）を解放してもよい。
【００８２】
以上に述べた本実施形態の特徴は、以下のように表現されていてもよい。
【００８３】
本実施形態の第１の特徴は、移動局ＵＥであって、無線基地局ｅＮＢから、緊急用ランダムアクセスチャネルリソースを取得するように構成されている受信部２１と、優先端末である移動局ＵＥが発信処理を行う場合、或いは、移動局ＵＥが緊急呼の発信処理を行う場合、かかる緊急用ランダムアクセスチャネルリソースを用いて、ＲＡ手順（ランダムアクセス手順）を行うように構成されているＲＡ手順実行部（ランダムアクセス手順実行部）２３と、発信処理に関する信号の送信に対して、ＡＣＢ（アクセス制御処理）を行うように構成されているアクセス制御部２２とを具備しており、アクセス制御部２２は、ＤＲＸ状態（間欠受信状態）の移動局ＵＥが上り信号を送信するためのＲＡ手順における「ＲＡ  Ｐｒｅａｍｂｌｅ（ランダムアクセスプリアンブル）」の送信に対して、ＡＣＢを行わないように構成されていることを要旨とする。
【００８４】
本実施形態の第１の特徴において、受信部２１は、報知情報を介して、上述の緊急用ランダムアクセスチャネルリソースを取得するように構成されていてもよい。
【００８５】
本実施形態の第１の特徴において、受信部２１は、ハンドオーバ処理において、ハンドオーバ先無線基地局Ｔ-ｅＮＢで設定されている緊急用ランダムアクセスチャネルリソースを取得するように構成されていてもよい。
【００８６】
本実施形態の第１の特徴において、受信部２１は、アタッチ処理において、個別シグナリング（例えば、「ＲＲＣ  Ｃｏｎｎｅｃｔｉｏｎ  Ｒｅｃｏｎｆｉｇｕｒａｔｉｏｎ」）を介して、上述の緊急用ランダムアクセスチャネルリソースを取得するように構成されていてもよい。
【００８７】
本実施形態の第１の特徴において、受信部２１は、「ＲＲＣ_ＩＤＬＥ  Ｓｔａｔｅ（アイドル状態）」から「ＲＲＣ_ＣＯＮＮＥＣＴＥＤ  Ｓｔａｔｅ（接続状態）」に遷移する際に、個別シグナリング（例えば、「ＲＲＣ  Ｃｏｎｎｅｃｔｉｏｎ  Ｒｅｃｏｎｆｉｇｕｒａｔｉｏｎ」）を介して、上述の緊急用ランダムアクセスチャネルリソースを取得するように構成されていてもよい。
【００８８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９２】
ＵＥ…移動局
ｅＮＢ…無線基地局
１１…管理部
１２…送信部
２１…受信部
２２…アクセス制御部
２３…ＲＡ手順実行部
【図１】
2013258663.tif 000003
【図２】
2013258663.tif 000004
【図３】
2013258663.tif 000005
【図４】
2013258663.tif 000006
【図５】
2013258663.tif 000007
【図６】
2013258663.tif 000008
【図７】
2013258663.tif 000009
【図８】
2013258663.tif 000010